(57)【要約】【課題】遊技場と遊技機との間でのインターフェイスを考慮することなく、かつ設備が既存の状態から変化しても、少なくとも遊技機設置島単位での必要最小限の防災設備としての機能を維持する。【解決手段】遊技機設置島１０２単位での防災システムを構築する際に、既存の設備の設置作業によって防災システムの構築ができるように、電源トランス１１０に防災機能を付加するようにした。防災機能としては、少なくとも、センサ信号入力部１４０（受信手段）と、異常判定部１７２（判断手段）とを備えていればよく、別途センサ１４２を設けてよいし、電源トランス１１０にセンサ１４４を直付けしてもよい。また、異常時に電源トランス１１０に対して、電源断制御するようにすれば、電源トランス１１０単体で防災システムが完結し、膨大な設備投資が不要、かつ簡単の取り付け作業で、遊技機設置島１０２の異常を監視することができる。【選択図】図６
2011041637.tif 000002
【特許請求の範囲】
【請求項１】
複数の遊技機が設置されて形成された遊技機群及びその周辺機器からなる遊技機設置島に備えられ、前記遊技機群及びその周辺機器の電気部品に対して電力を供給する電源トランス本体と、
少なくとも前記遊技機設置島に設置された遊技機群及びその周辺機器の環境変化に応じた環境変化情報信号を受信する受信手段と、
前記受信手段で受信した環境変化情報信号に基づいて、環境変化が異常か否かを判断する判断手段と、
を有する電源トランス。
【請求項２】
複数の遊技機が設置されて形成された遊技機群及びその周辺機器からなる遊技機設置島に備えられ、前記遊技機群及びその周辺機器の電気部品に対して電力を供給する電源トランス本体と、
少なくとも前記遊技機設置島に設置された遊技機群及びその周辺機器の環境変化と相関する環境変化情報信号を出力するセンサと、
前記電源トランス本体に設けられ、前記センサから出力される前記環境変化情報信号を受信する受信手段と、
前記電源トランス本体に設けられ、前記受信手段で受信した環境変化情報信号に基づいて、環境変化が異常か否かを判断する判断手段と、
を有する電源トランス。
【請求項３】
前記電源トランス本体に設けられ、前記判断手段で前記環境変化が異常と判断した場合に、少なくとも前記電源トランス本体による電力供給を遮断する電力供給遮断手段をさらに有する請求項１又は請求項２記載の電源トランス。
【請求項４】
前記センサが、前記遊技機設置島周辺の領域内の環境温度を検出する温度センサ、前記遊技機設置島周辺の領域の煙を感知する煙感知センサの少なくとも一方からなることを特徴とする請求項２又は請求項３記載の電源トランス。
【請求項５】
前記センサから出力される環境変化情報信号を、有線又は無線で前記受信手段へ伝送する伝送手段をさらに有する請求項２〜請求項４の何れか１項記載の電源トランス。
【請求項６】
複数の遊技機が設置されて形成された遊技機群及びその周辺機器からなる遊技機設置島が、通路を挟んで複数列に亘り設置された遊技場において、災害を未然に防止するための遊技場の防災システムであって、
少なくとも前記遊技機設置島毎の前記災害に関与する環境変化情報信号を出力するセンサと、
前記センサから出力される前記環境変化情報信号を受信する受信手段と、
前記受信手段で受信した環境変化情報信号に基づいて、環境変化が異常か否かを、前記遊技機設置島毎に判断する判断手段と
前記判断手段で前記環境変化が異常と判断した場合に、少なくとも異常が発生した遊技機設置島毎に、異常回避対策を実行する異常回避対策実行手段と、
を有する遊技場の防災システム。
【請求項７】
前記センサが、前記遊技機設置島周辺の領域内の環境温度を検出する温度センサ、前記遊技機設置島周辺の領域の煙を感知する煙感知センサの少なくとも一方からなることを特徴とする請求項６記載の遊技場の防災システム。
【請求項８】
前記センサから出力される環境変化情報信号を、有線又は無線で前記受信手段へ伝送する伝送手段をさらに有する請求項６又は請求項７記載の遊技場の防災システム。
【請求項９】
前記遊技機設置島毎に、当該遊技機設置島内の前記遊技機群及びその周辺機器の電気部品に対して電力を供給する電源トランス本体が設置されており、
前記異常回避対策実行手段が、
前記判断手段で前記環境変化が異常と判断した場合に、前記電源トランス本体における少なくとも前記遊技機又は遊技機の周辺機器への電力供給を遮断する電力供給遮断手段を備えることを特徴とする請求項６〜請求項８の何れか１項記載の遊技場の防災システム。
【請求項１０】
前記判断手段で前記環境変化が異常と判断した場合に、当該異常が発生したことを、前記遊技場全体に行き渡る警報を発する警報手段をさらに有することを特徴とする請求項６〜請求項９の何れか１項記載の遊技場の防災システム。
【請求項１１】
前記警報手段が、遊技場に既存の防災設備と連動し、前記異常を管轄する関係各所への連絡が実行されることを特徴とする請求項１０記載の遊技場の防災システム。
【請求項１２】
電気部品に対して電力を供給する電源トランス本体と、
周辺の環境変化と相関する環境変化情報信号を出力するセンサと、
前記センサから出力される前記環境変化情報信号を受信する受信手段と、
前記受信手段で受信した環境変化情報信号に基づいて、前記環境変化が異常か否かを判断する判断手段と、
前記判断手段で前記環境変化が異常と判断した場合に、前記電源トランス本体における電力供給を遮断する電力供給遮断手段と、
を有する遊技機。
【発明の詳細な説明】
【技術分野】
【０００１】
本発明は、遊技機設置島の環境を監視する機能を備えた電源トランス、遊技機設置島が複数列に亘り設置された遊技場での災害を未然に防止するための遊技場の防災システム、並びに防災機能を備えた遊技機に関する。
【背景技術】
【０００２】
防災設備、特に、遊技場における防災設備に関して特許文献１では、火災時に、既存の報知手段が焼失しても確実に警報音を発するようにする技術が開示されている。より具体的には、遊技機（例えば、パチスロ機）において、スピーカが設けられた部分をパンチングメタルとした場合に、いたずらされやすく、そこから発火することが多い。このため、温度センサを最も発火しやすい部分に設けた火災報知器を、既存のメイン基盤と切り離して独立した回路で構成し、遊技の進行に利用するスピーカが焼失しても、別途設けたブザー（スピーカ）によって警報を発することができるようにしている。
【０００３】
また、特許文献２では、パチンコ機自体が警報を発するようにすることで、放火をいち早く検知し延焼を防ぐことが開示されている。この特許文献２では、パチンコ機の裏面側の適宜箇所に感熱センサを設け、この感熱センサが異常高温を検知したときに、警報回路が作動してランプやスピーカによる警報を実行するものとなっている。
【０００４】
上記特許文献１及び特許文献２では、個々の遊技機の中で発生した外部からの人為的異常（特に、煙草の火のもらい火等を指し、遊技機からの自然発火とは異なる。）をいち早く発見し、延焼を防止するものであり、それなりに効果がある。ところが、火災等の発生場所は、遊技機内に特定されるものではないため、遊技場としては、結局、遊技場全体として具備される防災設備に頼らざるを得ない。
【０００５】
そこで、特許文献３には、遊技機が並設されている設置島で火災が生じたとき、火災の発生場所や規模を従来構成よりも正確に把握できるようにした火災監視装置が提案されている。
【０００６】
この特許文献３は、従来の防災設備に加え、複数種類のセンサ群毎に分別して、異常発報を受信することで、火災の発生場所や規模を的確に認識することが記載されている。このため、遊技機用温度センサはパチンコ機の背面上部に配し、設置島に設けたトランスにトランス用温度センサを取り付け、設置島の内部に煙センサ、空気管式加算感知器を設け、それぞれのセンサからの信号線は、受信機を介して中央監視装置に接続され、表示部に項目別に報知するようになっている。
【先行技術文献】
【特許文献】
【０００７】
【特許文献１】特開２０００−３２５６４７公報
【特許文献２】特開平９−１４０９１９号公報
【特許文献３】特開２００１−３４７０５１公報
【発明の概要】
【発明が解決しようとする課題】
【０００８】
しかしながら、引用文献３では、防災設備としては充分であるものの、遊技機の入れ替え、遊技場のレイアウト変更工事等、設備が既存の状態から変化する度に、セットアップ作業が必要となり、作業効率が悪い。また、遊技場と遊技機との連携も必要であり、共通するインターフェイスの開発等、特許文献３の設備を実現するためには、いくつかの大きな障害をクリアしなければならない。
【０００９】
本発明は上記事実を考慮し、遊技場と遊技機との間でのインターフェイスを考慮することなく、かつ設備が既存の状態から変化しても、少なくとも遊技機設置島単位での必要最小限の防災設備としての機能を維持することができる電源トランス、遊技場の防災設備、遊技機を得ることが目的である。
【課題を解決するための手段】
【００１０】
第１の発明は、複数の遊技機が設置されて形成された遊技機群及びその周辺機器からなる遊技機設置島に備えられ、前記遊技機群及びその周辺機器の電気部品に対して電力を供給する電源トランス本体と、少なくとも前記遊技機設置島に設置された遊技機群及びその周辺機器の環境変化に応じた環境変化情報信号を受信する受信手段と、前記受信手段で受信した環境変化情報信号に基づいて、環境変化が異常か否かを判断する判断手段と、を有している。
【００１１】
第１の発明によれば、電源トランス本体は、遊技機設置島に備えられており、一般的には、２台〜４台程度の遊技機に対して、例えば、商用電源（１００Ｖ〜２００Ｖ）を必要な電圧に変圧した状態で電力を供給している。ここで、電源トランスは、この電源トランス本体の他に、受信手段と判断手段を有している。受信手段は、少なくとも前記遊技機設置島に設置された遊技機群及びその周辺機器の環境変化に応じた環境変化情報信号を受信する。
【００１２】
例えば、環境変化情報信号は、災害に関与する温度や煙等が代表されるが、ここではこれらに限定されるものではなく、漏電を起こすような湿気、或いは電流を監視したり、一瞬だけ発生する火花等を検知したり、或いは、高周波ケーブルをかじる性質を持つと言われる鼠の出現を監視したり等、災害（例えば、火災）に関与する要素を持つ環境変化に関するもの全てを含むものとする。
【００１３】
前記受信手段で受信した環境変化情報信号は、判断手段において、環境変化が異常か否かが判断される。
【００１４】
このような環境変化の異常か否かを判別する機能を、遊技機設置島に必須の電源トランスに具備することで、遊技場の設備の改装工事、遊技機の入れ替え作業等があっても、その工事や作業終了後、セットアップ等の特別な設定を実行することなく、継続して災害の監視が可能となる。また、遊技場と遊技機との間で通信することがないので、インターフェイスも不要である。
【００１５】
また、第２の発明は、複数の遊技機が設置されて形成された遊技機群及びその周辺機器からなる遊技機設置島に備えられ、前記遊技機群及びその周辺機器の電気部品に対して電力を供給する電源トランス本体と、少なくとも前記遊技機設置島に設置された遊技機群及びその周辺機器の環境変化と相関する環境変化情報信号を出力するセンサと、前記電源トランス本体に設けられ、前記センサから出力される前記環境変化情報信号を受信する受信手段と、前記電源トランス本体に設けられ、前記受信手段で受信した環境変化情報信号に基づいて、環境変化が異常か否かを判断する判断手段と、を有している。
【００１６】
第２の発明によれば、電源トランスの装備として、例えば、センサを備える。言い換えれば、第１の発明は、既存の環境変化情報信号の発信源から当該信号を受信すればよいが、第２の発明は、環境変化情報信号の発信源であるセンサを具備するため、「電源トランス」単品として環境変化の異常を監視することができる。
【００１７】
第１の発明又は第２の発明において、前記電源トランス本体に設けられ、前記判断手段で前記環境変化が異常と判断した場合に、少なくとも前記電源トランス本体による電力供給を遮断する電力供給遮断手段をさらに有している。
【００１８】
環境変化が異常である場合、最も先に電源トランス本体の機能、すなわち電力供給を遮断する。これにより、仮に、環境変化が漏電等の場合は、火災等の発生を未然に防止することができる。また、電源遮断により遊技場も異常を認識できる。なお、電源遮断された遊技機は、通常、データバックアップ機能を持っているため、例えば、遊技者の出玉を補償することができる。
【００１９】
また、第２の発明において、前記センサが、前記遊技機設置島周辺の領域内の環境温度を検出する温度センサ、前記遊技機設置島周辺の領域の煙を感知する煙感知センサの少なくとも一方からなることを特徴としている。
【００２０】
環境変化情報信号の発信源のセンサとしては、温度センサ、煙感知センサが一般的であり、これらの少なくとも一方に対応することで、災害発生をいち早く発見することができる。
【００２１】
さらに、第２の発明において、前記センサから出力される環境変化情報信号を、有線又は無線で前記受信手段へ伝送する伝送手段をさらに有している。
【００２２】
センサは無線通信、有線通信に限定されるものではなく、必要に応じた伝送手段を選択することで、例えば、遊技機設置島の規模に併せた監視が可能である。すなわち、遊技機設置島は、遊技機の並設台数によってその規模（長さ）が変化する。電源トランスの側壁等にセンサを設けるのであれば、有線で充分であり安価となる。一方、最も配線が長くなる状況（１つの遊技機設置島で１台の電源トランスの構成）では、狭い空間に信号線を配線する煩雑さよりも、有線に比べて高価な無線の方が有利である。従って、適材適所でセンサとの接続を有線又は無線を選択すればよい。
【００２３】
第３の発明は、複数の遊技機が少なくとも横並びで設置されて形成された遊技機群及びその周辺機器からなる遊技機設置島が、通路を挟んで複数列に亘り設置された遊技場において、災害を未然に防止するための遊技場の防災システムであって、少なくとも前記遊技機設置島毎の前記災害に関与する環境変化情報信号を出力するセンサと、前記センサから出力される前記環境変化情報信号を受信する受信手段と、前記受信手段で受信した環境変化情報信号に基づいて、環境変化が異常か否かを、前記遊技機設置島毎に判断する判断手段と、前記判断手段で前記環境変化が異常と判断した場合に、少なくとも異常が発生した遊技機設置島毎に、異常回避対策を実行する異常回避対策実行手段と、を有している。
【００２４】
第３の発明によれば、遊技機設置島単位での環境変化の監視が可能であるため、比較的小規模な防災システムで、確実に災害を未然に防止することが可能となる。このため、遊技場の電飾や筐体等の改装工事（遊技機設置島の解体は除く）や、遊技機の入れ替え作業が終了した後も、何らセットアップ等の作業がなくても、継続して防災システムを稼働（遊技機設置島単位で異常回避対策が実行可能）させることができる。
【００２５】
第３の発明において、前記センサが、前記遊技機設置島周辺の領域内の環境温度を検出する温度センサ、前記遊技機設置島周辺の領域の煙を感知する煙感知センサの少なくとも一方からなることを特徴とする。
【００２６】
環境変化情報信号の発信源のセンサとしては、温度センサ、煙感知センサが一般的であり、これらの少なくとも一方に対応することで、災害発生をいち早く発見することができる。
【００２７】
また、第３の発明において、前記センサから出力される環境変化情報信号を、有線又は無線で前記受信手段へ伝送する伝送手段をさらに有する。
【００２８】
センサは無線通信、有線通信に限定されるものではなく、必要に応じた伝送手段を選択することで、例えば、遊技機設置島の規模に併せた監視が可能である。すなわち、遊技機設置島は、遊技機の並設台数によってその規模（長さ）が変化する。電源トランスの側壁等にセンサを設けるのであれば、有線で充分であり安価となる。一方、最も配線が長くなる状況（１つの遊技機設置島で１台の電源トランスの構成）では、狭い空間に信号線を配線する煩雑さよりも、有線に比べて高価な無線の方が有利である。従って、適材適所でセンサとの接続を有線又は無線を選択すればよい。
【００２９】
さらに、第３の発明において、前記遊技機設置島毎に、当該遊技機設置島内の前記遊技機群及びその周辺機器の電気部品に対して電力を供給する電源トランス本体が設置されており、前記異常回避対策実行手段が、前記判断手段で前記環境変化が異常と判断した場合に、前記電源トランス本体における少なくとも前記遊技機又は遊技機の周辺機器への電力供給を遮断する電力供給遮断手段を備えることを特徴としている。
【００３０】
遊技機設置島には電源トランス本体が具備されており、環境変化が異常である場合、異常回避対策実行手段は、電源トランス本体の機能、すなわち電力供給を遮断する。これにより、仮に、環境変化が漏電等の場合は、火災等の発生を未然に防止することができる。また、電源遮断により遊技場も異常を認識できる。なお、電源遮断された遊技機は、通常、データバックアップ機能を持っているため、例えば、遊技者の出玉を補償することができる。
【００３１】
また、第３の発明において、前記判断手段で前記環境変化が異常と判断した場合に、当該異常が発生したことを、前記遊技場全体に行き渡る警報を発する警報手段をさらに有することを特徴としている。
【００３２】
遊技場全体に行き渡る警報を発することで、災害を最小限に抑えることも可能である。
【００３３】
さらに、第３の発明において、前記警報手段が、遊技場に既存の防災設備と連動し、前記異常を管轄する関係各所への連絡が実行されることを特徴としている。
【００３４】
既存の遊技場の防災設備と連動すれば、災害を最小限に抑えることも可能である。
【００３５】
第４の発明は、電気部品に対して電力を供給する電源トランス本体と、周辺の環境変化と相関する環境変化情報信号を出力するセンサと、前記センサから出力される前記環境変化情報信号を受信する受信手段と、前記受信手段で受信した環境変化情報信号に基づいて、前記環境変化が異常か否かを判断する判断手段と、前記判断手段で前記環境変化が異常と判断した場合に、前記電源トランス本体における電力供給を遮断する電力供給遮断手段と、を有している。
【００３６】
遊技機に電源トランス本体が内蔵されている場合は、遊技機に、当該遊技機自体のシステムを変更することなく、受信手段、判断手段、電力供給遮断手段を設けることで、特に、遊技機同士でネットワーク化することなく、遊技機設置島での簡易的な防災システムを構築することができる。
【００３７】
例えば、遊技機の内、パチスロ機では、本発明のトランスが内蔵される場合があり、このような場合、遊技機自身が、独立した防災システムを搭載することとなり、防災に関する構築が、簡便かつ有効となる。
【発明の効果】
【００３８】
以上説明した如く本発明では、遊技場と遊技機との間でのインターフェイスを考慮することなく、かつ設備が既存の状態から変化しても、少なくとも遊技機設置島単位での必要最小限の防災設備としての機能を維持することができるという優れた効果を有する。
【図面の簡単な説明】
【００３９】
【図１】本実施の形態に係る遊技場の平面図である。
【図２】本実施の形態に係る遊技場に設置されたパチンコ機の正面図である。
【図３】本実施の形態に係るパチンコ機の制御ブロック図である。
【図４】本実施の形態に係る遊技機設置島の正面図である。
【図５】図４の一部を詳細に示す拡大図である。
【図６】本実施の形態に係る電源トランスの機能をブロック化した機能ブロック図である。
【図７】本実施の形態に係る電源トランスにおける、防災処理部で実行される災害監視制御ルーチンを示すフローチャートである。
【発明を実施するための形態】
【００４０】
（遊技場）
図１は、本実施の形態に係る遊技場１００（「ホール」、「パーラー」という場合もある）の平面図が示されている。この遊技場１００は、代表例であり、店毎に床の形状、面積等は異なり、設備機器の設置レイアウトも店毎に異なるものである。
【００４１】
遊技場１００には、複数の遊技機設置島１０２が設置されている。遊技機設置島１０２は、内部に空間が設けられている。
【００４２】
遊技機設置島１０２は、遊技場１００のフロアにおいて、遊技場１００の壁面１００Ａから離れた位置に所謂「島」のように設けられているのが語源とされているが、ここでは、壁面１００Ａに沿って（接触して）も受けられたものも「遊技機設置島１０２」とする。
【００４３】
前記遊技機設置島１０２の縦壁は、遊技機を横並びに配列して取り付け可能な複数の矩形状の開口が設けられている。この開口に遊技機が着脱可能に取り付けられている。本実施の形態では、遊技機として、パチンコ機１０が取り付けられている。
【００４４】
（パチンコ機の構成）
図２に示されるように、パチンコ機１０の前面下部には、化粧パネルとなる下飾り１２が取り付けられている。
【００４５】
また、パチンコ機１０の下飾り１２の上部には、互いに平行、かつ奥行き方向に所定の間隔をおいて配置された一対のガラス板１４を装着したガラス枠１６が配置されており、ガラス枠１６は左側端部が軸支されて開閉可能に取り付けられている。このガラス枠１６の奥側には、着脱交換可能な遊技盤１８がセットされており、遊技盤１８は、ガラス枠１６で閉塞された状態でガラス板１４に対向するようになっている。
【００４６】
ガラス枠１６の下部には、皿ユニット２４が配置されている。皿ユニット２４の図２の右端部には、鍵穴２７が設けられ、この鍵穴２７にキーを差し込み、左に回すとガラス枠１６が開放し、右に回すとパチンコ機１０の左側端部が軸支された内枠（図示せず）が開放する。
【００４７】
皿ユニット２４には、上皿部２８と、下皿部３０とが設けられている。上皿部２８を形成する周縁壁部３２には、上皿球抜きレバー３４が設けられ、この上皿球抜きレバー３４を操作することで、上皿部２８に貯留された遊技球を下皿部３０へ送り出すことができるようになっている。また、下皿部３０には、下皿球抜きボタン３６が設けられ、この下皿球抜きボタン３６を操作することで、下皿部３０に貯留された遊技球を外部（例えば、所謂「ドル箱」）へ排出することができるようになっている。
【００４８】
上皿部２８の周縁壁３２における図２の右端部には、球貸ボタン４２と、返却ボタン４４が設けられている。
【００４９】
また、皿ユニット２４の右側下部には打球の発射力（飛距離）を調整するためのグリップユニット（発射ハンドル）２６が取り付けられ、左側下部には、灰皿４６が取り付けられている。
【００５０】
皿ユニット２４における下皿部３０の図２の右側には皿ユニット用スピーカ６０Ｕが配置されている。
【００５１】
ここで、皿ユニット２４における上皿部２８の周縁壁３２には、遊技者が操作可能な操作ボタン５０が設けられている。この操作ボタン５０は、遊技中において、操作有効期間中に操作することで、演出画像に対して介入することができるようになっており、それぞれの遊技仕様によって設定される。
【００５２】
ガラス枠１６におけるガラス板１４の周囲には、アーチ状に遊技の進行に応じて点灯、消灯、及び点滅し照明による視覚的効果や、音声等による聴覚的効果等の演出効果を生み出す上部演出部５２が配置されている。この上部演出部５２の下端部は、皿ユニット２４の周囲に略Ｕ字型に配置された下部演出部５４の上端部と連結するように配置されている。
【００５３】
この結果、上部演出部５２と下部演出部５４とで、遊技盤１８の周囲を取り囲むように、遊技機枠演出部５６が形成されている。
【００５４】
この遊技機枠演出部５６は、上部演出部５２及び下部演出部５４共に、照明部材（ＬＥＤ等）が取り付けられた基板（図示省略）と、この基板を覆うように、所定の意匠で形成されたレンズカバー５８が取り付けられている。
【００５５】
レンズカバー５８は、前記照明部材が点灯する領域を区画するよう凹凸状にカットされており、区画された領域（以下、必要に応じて「レンズ部５８」という）毎に照明部材の点灯制御がなされる。なお、照明部材は基本的にＲ（赤色）、Ｇ（緑色）、Ｂ（青色）の３色に点灯するＬＥＤが１組となっており、それぞれの点灯時の光量比により、様々な配色の点灯が可能となっている。
【００５６】
また、前記上部演出部５２における、ガラス枠１６の上部円弧の約１／３に相当する領域の中央及び両端には、ガラス枠スピーカ６０Ｃ、６０Ｌ、６０Ｒが内蔵され、照明と同時に、音声を出力する。
【００５７】
なお、以下では、前述した皿ユニット用スピーカ６０Ｕと、このガラス枠スピーカ６０Ｃ、６０Ｌ、６０Ｒを総称して、「スピーカ６０」という。
（パチンコ機の制御系の構成）
次に、図３を用いてパチンコ機１０の制御系について説明する。図３に示されるように、本実施形態に係るパチンコ機１０の制御系は、主制御部１５０を中心として構成されており、この主制御部１５０には、演出制御部１５２と払出制御部１５４とが接続されている。
【００５８】
主制御部１５０には、遊技に関する基本的なプログラムが記憶されており、この主制御部１５０からの命令信号に基づいて、各部の動作が制御されるようになっている。また、種制御部１５０には、遊技盤１８の適宜箇所に設けられた複数のセンサ１６２（例えば、始動入賞センサ、アタッカセンサ等）が接続されている。さらに、主制御部１５０には、遊技盤１８の適宜箇所に設けられ、特に遊技の進行に影響を与える複数の出力デバイス１６６（例えば、電動チューリップ、アタッカー等）が接続されている。
【００５９】
主制御部１５０からは盤用外部端子１９０を介してホールコンピュータ（図示省略）へ遊技の進行状態を示す情報（始動入賞信号や大当たり信号、図柄確定回数信号）が送信される。
【００６０】
演出制御部１５２には、入力系として、操作ボタン５０が接続され、出力系として、パチンコ機１０の各種遊技部品に設けられた照明演出用の発光素子１７０、スピーカ６０等が接続されている。さらに、演出制御部１５２には、図柄制御部１５６が接続され、パチンコ機１０の遊技盤に設置された表示装置１５８を制御する。その他、演出制御部１５２には、遊技の進行に影響を及ぼさない複数の演出系出力デバイス（役物動作用モータやソレノイド等）１６８が接続されている。
【００６１】
払出制御部１５４には、払出装置１６０及び発射制御部１６４が接続され、発射制御部１６４には発射装置１６５が接続されている。この払出制御部１５４は、パチンコ機１０内に設けられた払出装置１６０を作動させて、賞球又は貸し球の払い出し及び停止動作と払出数を制御する。また、発射制御部１６４は、遊技者によるグリップユニット２６（図２参照）の操作により発射装置１６５を作動させて、遊技球の発射開始、及び、グリップユニット２６の操作量に応じた発射力を制御する。
【００６２】
さらに、払出制御部１５４では、枠用外部端子１９１を介して払出情報をホールに設置されたホールコンピュータ（図示省略）へ送信するようになっている。
【００６３】
なお、本実施の形態では、遊技機として、パチンコ機１０が取り付けられたが、パチスロ機等の他の遊技機であってもよい。
【００６４】
（遊技設置島防災設備）
上記のような遊技場１００は、当然、消防法（施行令則、施行規則を含む）に基づく防災システムが設置されている。防災システムの主要構成部品としては、受信機、火災表示灯、音響装置、予備電源、感知器等が挙げられる。
【００６５】
特に、感知器としては、熱感知器、煙感知器、多信号感知器、熱煙複合式スポット型感知器、炎感知器等があり、遊技場１００の適宜箇所に取り付けられ、集中管理されている。なお、この場合、前述したパチンコ機１０のレンズ部５８を点灯したり、スピーカ６０を発音したりすることを、異常時の報知手段として用いることも可能である。
【００６６】
ところで、上記防災システムは、施設全体を監視することが目的であり、その監視精度をより細かくするためには、当該設備に応じた独自の監視体制が必要である。
【００６７】
そこで、本実施の形態では、前記遊技場１００特有の集中監視対象として、遊技機設置島１０２の内部空間に着目し、設備投資が少なく、かつ設置作業が簡便であるが、有用に当該遊技機設置島１０２の内部空間を集中して監視する防災システムを構築した。
【００６８】
図４は、遊技機設置島１０２の正面図であり、前述したように、遊技機設置島１０２の開口に、パチンコ機１０が横並びに取り付けられている。なお、パチンコ機１０の間には、球貸機（通称、「サンド」）１０４が介在されている。この球貸機１０４は、基本的には、遊技場１００の設備の一部（周辺機器）であり、パチンコ機１０がその人気等で定期的又は不定期に交換されるのに対し、この球貸機１０４は故障、新規設備投資以外では交換されるものではない。なお、球貸機１０４と同様の周辺機器としては、パチンコ機１０の上部に設けられたデータ端末ユニット１０６がある。このデータ端末ユニット１０６は、遊技場１００に設置されている図示しないホールコンピュータの端末機器としての役目を有し、当該ホールコンピュータにアクセスして、主として下部に位置するパチンコ機１０に関するデータ（１日の当たり数、始動入賞数等）を閲覧することができるようになっている。
【００６９】
球貸機１０４及びデータ端末ユニット１０６、並びにパチンコ機１０は、その動作定格電圧がＡＣ２４Ｖであり、遊技機設置島１０２からこのＡＣ２４Ｖの電源の供給を受けることで稼働する。
【００７０】
一方、遊技場１００に供給される電力は、商用電源である。なお、商用電源の定格電圧としては、ＡＣ１００Ｖ、ＡＣ２００Ｖ等があるが、ここでは、ＡＣ１００Ｖとする。
【００７１】
遊技場１００では、パチンコ機１０に供給されるＡＣ２４Ｖと、他の周辺機器、たとえば球貸機１０４及びデータ端末ユニット１０６に供給されるＡＣ１００Ｖとを要し、電源トランス１１０が必須となる。
【００７２】
本実施の形態では、遊技場１００用の電源トランス１１０は、商用電源（ＡＣ１００Ｖ）から、そのままＡＣ１００Ｖを出力する端子と、商用電源から降圧変換したＡＣ２４Ｖを出力する端子とを備え、図示を省略した表記により、作業者が供給電力の相違を目視で明瞭に識別できるように構成されている。
【００７３】
もちろん、ＡＣ２４Ｖの電力のみを単独で出力、あるいは切り替えて供給するトランスを設けても差し支えない。なお、本実施の形態の電源トランス１１０としては、出力ＡＣ２４Ｖ、ＡＣ１００Ｖの一体型が適用される。
【００７４】
図４に示される如く、遊技機設置島１０２の長手方向一端部には、球循環塔１１２が設置されている。この球循環塔１１２には、当該遊技機設置島１０２の長手方向一端部から他端部にかけて所定の角度のスロープが形成された球供給路１１４が設けられている。このため、例えば、天井裏から供給される遊技球が、図示を省略した遊技球の研磨装置により、パチンコ機１０のアウト口（図示省略）よりも下方位置から回収・研磨されて遊技機設置島１０２の上方位置まで揚送され、球循環塔１１２を経由して、球供給路１１４へ送り出すことで、遊技球はスロープに従い転動し、遊技機設置島１０２の他端部まで行き渡らせることができる。
【００７５】
また、各パチンコ機１０から回収した遊技球は、遊技機設置島１０２の下部に設けた球回収路（図示省略）により、再度、球循環塔１１２へ回収され、球供給路１１４へ送り出される。なお、球循環路１１４には研磨機能を持たせてもよい。
【００７６】
前記球循環塔１１２には、安定化電源部１１６が設けられている。この安定化電源部１１６は、入力源として商用電源に接続されている。商用電源は、基本的にはＡＣ１００Ｖであるが、電圧値が不安定であるため、安定化電源部１１６において、安定した電圧値としている。
【００７７】
図４及び図５に示される如く、安定化電源部１１６からの出力線１１８は、遊技機設置島１０２の適宜位置に設けられたコンセント部１２０に接続されている。このコンセント部１２０には、電源トランス１１０からの電力引込線１２２が接続されている。
【００７８】
電源トランス１１０は、ＡＣ００ＶをＡＣ２４Ｖに変圧（降圧）する役目を有し、出力はＡＣ２４Ｖとなる。
【００７９】
図５に示される如く、１台の電源トランス１１０は、横並びの２台のパチンコ機１０に対応しており、当該２台のパチンコ機１０にＡＣ２４Ｖの電圧の電源を供給している。すなわち、パチンコ機１０には、パチンコ機電源線１２４が設けられ、パチンコ機１０が遊技機設置島１０２に取り付けられたとき、当該パチンコ機電源線１２４と電源トランス１１０の出力線１２６とが接続されるようになっている。また、図示は省略したが、前記２台のパチンコ機１０の間に設けられた球貸機１０４や、データ管理ユニット１０６の電源線とも接続され、ＡＣ２４Ｖの電圧の電源を供給している。
【００８０】
ここで、本実施の形態の電源トランス１１０は、電源トランス１１０としての本来の機能（変圧機能）の他、防災機能を備えている。
【００８１】
図６は、電源トランス１１０における前記変圧機能と防災機能とを実現するためのブロック図が示されている。
【００８２】
電源トランス１１０は、トランス本体部１３０と防災処理部１３２とに分けられて構成されている。
【００８３】
トランス本体部１３０には、電源入力部１３４が設けられ、電源入力部１３４には、前記コンセント部１２０に接続される電力引込線１２２（ここでは、矢印のみ記載しているが、通常は、２本の導線が平行に絶縁物で被覆された平行、或いは円環状のビニール線等が適用される。）が接続されている。すなわち、電源入力部１３４には、ＡＣ１００Ｖの電圧の電源が供給される。
【００８４】
電源入力部１３４は、電圧変換部１３６に接続されている。電圧変換部１３６は、鉄心に一次側コイル及び二次側コイルが巻かれた構造であり、当該一次側コイルの巻き数と二次側コイルの巻き数との比によって変圧度合いが決まるようになっている。ここでは、入力された電圧（ＡＣ１００Ｖ）をパチンコ機１０、球貸機１０４及びデータ端末ユニット１０６の定格電圧（ＡＣ２４Ｖ）に変圧（降圧）する。
【００８５】
電圧変換部１３６は、電源出力部１３８に接続されている。電源出力部１３８は、２台のパチンコ機１０のパチンコ機電源線１２４、並びに球貸機１０４及びデータ端末ユニット１０６の電源線に接続されている。
【００８６】
一方、防災処理部１３２には、センサ信号入力部１４０が設けられている。このセンサ信号入力部１４０には、当該電源トランス１１０が設置された遊技機設置島１０２の中の適宜位置に取り付けられたセンサ１４２が接続されている。
【００８７】
センサ種としては、熱感知器（熱センサ）、煙感知器（煙センサ）、多信号感知器（多信号センサ）、熱煙複合式スポット型感知器（熱煙複合式スポット型センサ）、炎感知器（炎センサ）等がある。感知器とは、センサ１４２の内、所定のレベルを超えたときに信号が反転するものである。
【００８８】
すなわち、センサ１４２は、一般的には、単純に検出する対象のレベルを電気信号の強さ（例えば、電圧値、電流値）に置き換えて出力するものである。例えば、熱センサ（温度センサ）に関して言えば、火災の発生を示す温度如何ではなく、当該温度に応じた電圧が出力される（定常タイプ）。一方、感知器は、所定の熱（所定の温度）以上になったときに、定常時の信号とは異なる信号（例えば、反転信号）を出力する（感知タイプ）。
【００８９】
本実施の形態では、電源トランス１１０は、２台のパチンコ機１０に１台の割合で設置されているため、センサ１４２は、当該２台のパチンコ機１０の周辺に限っている。
【００９０】
取付位置としては、遊技機設置島の空間内であれば限定されるものではないが、例えば、電源トランス１１０のケースに直付けしたり、パチンコ機１０の背面に取付けるようにしてもよい。電源トランス１１０のケースに直付けする場合は、電源トランス１１０の標準装備としてセンサ１４４（図６の鎖線参照）を加えてもよい。
【００９１】
センサ信号入力部１４０は、センサ信号解析部１４６に接続され、入力したセンサ出力信号に基づいて、センサ種を識別し、基準値メモリ１４８に対して、検出対象に対応した基準値を特定する。また、センサ信号解析部１４６では、センサ１４２が、前記定常タイプなのか感知タイプなのかを解析し、異常判定部１７２へ送出する。前記基準値メモリ１４８はこの異常判定部１７２に接続され、特定された基準値を異常判定部１７２へ送出するようになっている。
【００９２】
このため、異常判定部１７２では、センサ出力と基準とが比較されて異常か否かを判断する。なお、センサ種が感知タイプの場合は、基準値が反転信号の内の異常を示す側の信号であればよい。また、センサ種が感知タイプであり、反転信号が異常時のみ所定のレベルの信号が出力される場合は、異常判定部１７２では、基準値をよらず、この異常時の信号に基づいて直接異常と判定してもよい。
【００９３】
異常判定部１７２は、電源断指示部１７４及び異常信号出力部１７６に接続されている。
【００９４】
異常判定部１７２は異常と判定すると、電源断指示部１７４を制御して、前記トランス本体部１３０の電源出力部１３８に対して、パチンコ機１０、球貸機１０４及びデータ端末ユニット１０６への電力供給を禁止する信号を出力する。この結果、トランス本体部１３０は実質的にその機能を失うことになる。
【００９５】
また、異常判定部１７２は異常と判定すると、異常信号出力部１７６を制御して、遊技場１００に予め設置されている防災システムの中央管理部へ異常信号を出力する。これにより、防災システムの有用に起動させ、災害を最小限に抑制する。
【００９６】
なお、異常信号出力部１７６は、異常信号をパチンコ機１０の報知機器制御部（例えば、ランプ、スピーカ等を制御する制御部）に送出するようにしてもよい。これにより、災害発生近傍のパチンコ機１０から異常を報知することになり、災害発生箇所を特定し易くしている。
【００９７】
以下に本実施の形態の作用を説明する。
【００９８】
図７は、電源トランス１１０における、主として防災機能による、災害監視制御ルーチンを示すフローチャートである。
【００９９】
ステップ２００では、遊技機設置島１０２内に取り付けたセンサ１４２からの信号が入力されたか否かが判断される。なお、このセンサ１４２は、基本的には電源トランス１１０から離れた位置に取り付けられるものであるが、電源トランス１１０のケースに直付けしたセンサ１４４（図６の鎖線参照）であってもよく、或いはパチンコ機１０の背面に取り付けたセンサを含む。
【０１００】
ステップ２００で否定判定された場合はこのルーチンは終了し、肯定判定された場合はステップ２０２へ移行する。ステップ２０２では、入力信号が、感知タイプのセンサ１４２からの異常信号か否かが判断される。このステップ２０２で肯定判定された場合は、異常発生により入力した信号であると判断し、後述するステップ２１２へ移行する。
【０１０１】
また、ステップ２０２で否定判定された場合は、通常タイプのセンサ１４２（１４４）であると判断し、ステップ２０４へ移行して、センサ種を判別する。すなわち、センサ１４２（１４４）には、温度（熱）を検出するセンサや、煙を検出するセンサ、或いは複合的に検出するセンサ等があり、それぞれ、異常か否かを判定する基準値が異なるため、このステップ２０４では、センサ種を判別し、ステップ２０６へ移行する。
【０１０２】
ステップ２０６では、判別したセンサ種に応じた基準値を読み出し、次いでステップ２０８へ移行して比較判定処理を実行する。すなわち、検出（入力）したセンサ検出値と、基準値とを比較して、センサ検出値が異常レベルか否かを判定する。
【０１０３】
次のステップ２１０では、前記ステップ２０８での判定の結果が異常あり（肯定判定）と判定された場合は、ステップ２１２へ移行する。このステップ２１２は、前記ステップ２０２で肯定判定された場合も移行するステップである。また、ステップ２１０で異常無し（否定判定）と判定された場合は、このルーチンは終了する。
【０１０４】
ステップ２１２はトランス本体部１３０の電源出力部１３８に対して、電源断指示を出す。この電源断指示により、トランス本体部１３０では、電源出力部１３８の機能が停止し、実質的にパチンコ機１０、球貸機１０４及びデータ端末ユニット１０６への電力供給が遮断される。なお、トランス本体部１３０の電力出力機能が停止するのであれば、電源入力部１３４や電圧変換部１３６に対して、電源断指示を行ってもよいし、別途、電源断機能を持った手段を設置してもよい。
【０１０５】
次のステップ２１４では、外部、すなわち遊技場１００の既存の防災システムへ異常信号を出力する。これにより、本来の防災システムでの災害感知能力を向上することができる。なお、この異常信号は、パチンコ機１０の報知機器制御部（具体的には、演出制御部１５２）へ出力することで、災害発生近傍のパチンコ機１０により異常（災害発生）を報知することができ、特に、災害発生近傍にいる遊技者へいち早く知らせることができる。
【０１０６】
以上説明したように本実施の形態では、遊技機設置島１０２単位での防災システムを構築する際に、既存の設備の設置作業によって防災システムの構築ができるように、電源トランス１１０に、本来の機能である変圧機能の他に、防災機能を付加するようにした。防災機能としては、少なくとも、センサ信号入力部１４０（受信手段）と、異常判定部１７２（判断手段）とを備えていればよく、例えば、センサ信号入力部１４０に接続されるセンサ１４２としては、遊技場１００の防災システムに適用したセンサを利用することができる。もちろん、別途センサ１４２を設けてよいし、電源トランス１１０にセンサ１４４を直付けしてもよい。
【０１０７】
また、異常時に電源トランス１１０に対して、電源断制御するようにすれば、電源トランス１１０単体で防災システムが完結し、膨大な設備投資が不要、かつ簡単の取り付け作業で、遊技機設置島１０２の異常を監視することができる。
【０１０８】
なお、本実施の形態では、電源トランス１１０に防災機能を持たせる構成とすることで、電源断処理等の付加価値的な機能をもたらすようにしたが、異常を判断するだけであれば、遊技機設置島１０２に装備する他の必須の備品（前記コンセント部１２０等）に防災機能を付加するようにしてもよい。
【０１０９】
また、センサ１４２と電源トランス１１０との間を有線信号線で接続するようにしたが、センサ１４２に送信機、電源トランス１１０に受信機を設け、電源トランス１１０が無線通信によってセンサ１４２からの信号を受けるようにしてもよい。さらに、電源トランス１１０に直付けしたセンサ１４４も着脱可能、かつ無線通信対応とすれば、必要に応じて、電源トランス１１０から離れた場所へ設置することも可能となる。
【符号の説明】
【０１１０】
１０    パチンコ機
１８    遊技盤
１００    遊技場
１００Ａ    壁面
１０２    遊技機設置島
１０４    球貸機
１０６    データ端末ユニット
１１０    電源トランス
１１２    球循環塔
１１４    球供給路
１１６    安定化電源部
１１８    出力線
１２０    コンセント部
１２２    電力引込線
１２４    パチンコ機電源線
１２６    出力線
１３０    トランス本体部（トランス本体）
１３２    防災処理部
１３４    電源入力部
１３６    電圧変換部
１３８    電源出力部
１４０    センサ信号入力部（受信手段）
１４２    センサ
１４４    センサ
１４６    センサ信号解析部
１４８    基準値メモリ
１５０    主制御部
１５２    演出制御部
１５４    払出制御部
１５６    図柄制御部
１７２    異常判定部（判断手段）
１７４    電源断指示部
１７６    異常信号出力部
【図１】
2011041637.tif 000003
【図２】
2011041637.tif 000004
【図３】
2011041637.tif 000005
【図４】
2011041637.tif 000006
【図５】
2011041637.tif 000007
【図６】
2011041637.tif 000008
【図７】
2011041637.tif 000009